(57)【要約】【課題】大量の洗剤や大量のすすぎ水を必要とせず、ホルマリンのような発がん性物質を使用することなく、蒸気による熱処理のように大型の設備や大きなエネルギーが必要でなく、低いコストで処理することができる抗菌寝具を製造することができる。【解決手段】布団、敷布、枕、その他の寝具類に対し、光触媒と銀メタル系の抗菌剤を吹付け、あるいは塗布する。場合によっては、さらに抗菌剤を寝具類に焼付けを行う。【選択図】    図１
2005298996.tif 000002
【特許請求の範囲】
【請求項１】
布団、敷布、枕、その他の寝具類に対し、
光触媒と銀メタル系の抗菌剤を吹付けし行う、
抗菌寝具の製造方法
【請求項２】
布団、敷布、枕、その他の寝具類に対し、
光触媒と銀メタル系の抗菌剤を塗布して行う、
抗菌寝具の製造方法
【請求項３】
布団、敷布、枕、その他の寝具類に対し、
光触媒と銀メタル系の抗菌剤を、
加圧炉の中で吹付けして行う、
抗菌寝具の製造方法
【請求項４】
布団、敷布、枕、その他の寝具類に対し、
光触媒と銀メタル系の抗菌剤を、
加圧炉の中で塗布して行う、
抗菌寝具の製造方法
【請求項５】
布団、敷布、枕、その他の寝具類に対し、
光触媒と銀メタル系の抗菌剤を、
加圧炉の中で吹付けし、
その後に、寝具類に対して抗菌剤を瞬間焼付けを施して行う、
抗菌寝具の製造方法
【請求項６】
布団、敷布、枕、その他の寝具類に対し、
光触媒と銀メタル系の抗菌剤を、
加圧炉の中で塗布し、
その後に、寝具類に対して抗菌剤を瞬間焼付けを施して行う、
抗菌寝具の製造方法
【請求項７】
光触媒と銀メタル系の抗菌剤として、
ナノサイズの二酸化チタンと、銀メタルを複合して構成した抗菌剤を使用して行う、
請求項１〜６記載の、抗菌寝具の製造方法
【発明の詳細な説明】
【技術分野】
【０００１】
本発明は、抗菌寝具の製造方法に関するものである。
【背景技術】
【０００２】
宿泊設備、病院、家庭では多数の布団、敷布、枕その他の寝具類が使用さえている。
これらの寝具類は人体から出る汗や脂肪、たんぱく質などのよって汚染され、あるいはダニや雑菌が付着する可能性が高い。
このような寝具類の殺菌、消毒、害虫駆除のために従来は次のような方法が採用されている。
＜１＞  寝具を丸洗いする方法。
＜２＞  ホルマリンによる薬剤処理。
＜３＞  蒸気による熱処理。
＜４＞  アルコールなどの抗菌剤の噴霧処理。
【特許文献１】特開平１１−２７６７９９号公報
【特許文献２】特開２０００−２７３７５８号公報
【特許文献３】特開２００１−３１４４９０号公報
【発明の開示】
【発明が解決しようとする課題】
【０００３】
前記した従来の抗菌寝具の製造方法にあっては、次のような問題点がある。
＜１＞  布団などを丸洗いして洗浄、消毒する方法では、まず前処理として色止めを行った後、表地を洗浄し、中綿に含まれている汚れや塩分、脂肪、淡白などを洗浄して除去し、その後に乾燥して熱消毒を行うといった多数の工程を必要とする。
＜２＞  特に長期間使用した貸し布団などでは汚れが蓄積しており、しかも布団は体積が大きいから、それらを洗浄するには大量の洗剤が必要となり、洗濯後の洗剤分を完全に除去するには大量のすすぎ水が必要と成る。
＜３＞  ホルホルマリンによって処理する方法では、ホルマリンは発ガン性の物質であるという問題があり、さらに処理時間が長時間にわたるという問題があった。
＜４＞  蒸気による熱処理は、大型の設備や大きなエネルギーが必要であり、設備や運転コストに多大の費用を要する。また一般に布団の中綿などはそれ自体で高い断熱効果を有するから、外部から与えた熱は布団の内部には届きにくく、内部に潜む細菌類を死滅させることは容易ではない。
＜５＞  アルコールなどの抗菌剤を噴霧する方法は、爆発の危険があり採用が困難である。
【課題を解決するための手段】
【０００４】
上記のような課題を解決するために、本発明の抗菌寝具の製造方法は、布団、敷布、枕、その他の寝具類に対し、光触媒と銀メタル系の抗菌剤を、加圧炉の中で吹付けし、その後に、寝具類に対して抗菌剤を瞬間焼付けを施して行う、抗菌寝具の製造方法を特徴としたものである。
さらに本発明の抗菌寝具の製造方法は、布団、敷布、枕、その他の寝具類に対し、光触媒と銀メタル系の抗菌剤を、加圧炉の中で塗布し、その後に、寝具類に対して抗菌剤を瞬間焼付けを施して行う、抗菌寝具の製造方法を特徴としたものである。
さらに本発明の抗菌寝具の製造方法は、光触媒と銀メタル系の抗菌剤として、ナノサイズの二酸化チタンと、銀メタルを複合して構成した抗菌剤を使用して行う、抗菌寝具の製造方法を特徴としたものである。
【発明の効果】
【０００５】
本発明の抗菌寝具の製造方法は以上説明したようになるから次のような効果を得ることができる。
＜１＞  布団などを丸洗いして洗浄、消毒する方法と異なり、多数の工程を必要とせず大量の洗剤や大量のすすぎ水を必要とせずに抗菌寝具を製造することができる。
＜２＞  発ガン性の物質であるといわれるホルマリンを使用することがないから、安全である。
＜３＞  蒸気による熱処理のように大型の設備や大きなエネルギーが必要でなく、低いコストで処理することができる。
＜４＞  アルコールのような爆発性の材料を使用しないから安全に製造することができる。
＜５＞  光触媒と銀メタル系の抗菌剤を加圧炉の中で吹き付けたり、塗布した後、寝具に対して抗菌剤を焼付けする場合には、長年の使用や繰り返しの洗濯などによっても抗菌剤の効果は容易に消失することがない。
【発明を実施するための最良の形態】
【０００６】
以下図面を参照にしながら本発明の好適な実施の形態を、まず使用する抗菌剤の特性を、次の作業の順を詳細に説明する。
【実施例】
【０００７】
＜1＞抗菌剤。
本発明の製造方法で使用する抗菌剤は、光触媒と銀メタル系の抗菌剤である。
銀メタル系の抗菌剤はそれ自体で高い抗菌作用を有するが、さらにこの銀メタル系の抗菌剤に、光触媒性能を加えたものである。
そして光触媒として、ナノサイズの二酸化チタンを使用する。
二酸化チタンは光を受けると酸化力の強いビドロキシルラジカルを生成し、有害な有機物の分子結合を切断、分離して無害な水と二酸化炭素に分離する機能を備えている。
このように光触媒と銀メタルを複合して構成することによって、光触媒単体よりも有機物分解能力が高い、両者の性能を相乗的に高めた抗菌剤を得る事ができる。
【０００８】
＜２＞抗菌剤の性能。
この抗菌剤は次のような性能を備えている。
医療分野：ＭＲＳＡ、緑膿菌、カンジダなどに対し有効。
食品分野：黄色ブドウ菌、サルモネラ菌、リステリア菌などに対し有効。
結核菌、インフルエンザウイルスに対して有効。
そのために、特に不特定多数の人が使用する宿泊設備の寝具や貸し布団などに対して有効に利用することができる。
【０００９】
＜３＞防臭性。
この抗菌剤は、悪臭の発生原因であるバクテリアの繁殖を抑えることができる。
そのために長い間、湿気の多い押入れに収納しておいた布団などはカビ臭くなりやすいが、バクテリアの繁殖を抑えることで、その臭いを軽減することができる。
【００１０】
＜４＞抗菌性能の持続性。
塗布面に光触媒と銀メタル系抗菌剤が残っている限り、半永久的に抗菌性能が持続する。
スプレー面を１００回にわたり水拭きしても抗菌性能は衰えない。
したがって一度、処理することによって長期間の抗菌性能を維持することができる。
【００１１】
＜５＞安全性。
銀は食器や歯冠などの長年使用されており、安全性については問題がないことが実証されている。
また酸化チタンは顔料として使用されており、やはり安全である。  
したがって肌身に直接触れる寝具類をこの抗菌剤で処理しても安心して使用することができる。
【００１２】
＜６＞本発明の対象。
本発明の製造方法の対象は、例えば布団、中綿、毛布、タオルケット、シーツカバー、あるいは浴衣、たんぜん、半纏、などの寝具類１（以下「寝具類１」と総称する。）である。
これらの寝具類１をコンベアー２に搭載して以下のような順序で処理を施して抗菌寝具類１を製造する。
【００１３】
＜７＞検針。
寝具類１を、まず検針装置５を通過させて針などの金属類の検知を行う。
この検針装置５は公知の装置を使用することができる。
【００１４】
＜８＞抗菌剤の吹き付け工程。
次にコンベアー２に搭載して移動している寝具類１に対し、スプレー３１やガンから、上記で詳細に説明した光触媒と銀メタル系の抗菌剤を霧状にして吹付ける。
このように本発明の製造方法は、従来のような洗剤による洗い、ホルマリンによる化学処理、蒸気による熱処理、あるいはアルコールによる処理ではなく、光触媒と銀メタル系の抗菌剤を吹付けて行う工程を特徴とするものである。
この吹き付け作業を、寝具類１が加圧炉３の内部を通過している工程において行えばさらに効果的である。
さらに、吹き付けの終わった寝具類１を塗布ロール３２を通過させれば、周囲からまんべんなく押さえて、吹き付けた抗菌剤を確実に寝具類１に付着させることができる。
【００１５】
＜９＞焼付け工程。
さらに抗菌剤を寝具類１に焼き付ける工程を採用することもできる。
その場合には寝具類１をコンベアー２で搬送して焼付け炉４を通過させる。
この工程を採用すれば、寝具類１は２００℃程度の高温下を通過することにより、表面に付着した抗菌剤が確実に寝具類１に焼付けられる。
その結果、抗菌剤は、寝具類１の長年の過酷な使用や繰り返しの洗濯によっても容易に剥離したり消滅することがなく、長期間にわたって良好な抗菌状態を維持することができる。
同時に高温によって寝具類１を乾燥させることもでき、抗菌処理済みの良好な状態の寝具類１を製造して提供することができる。
【図面の簡単な説明】
【００１６】
【図１】本発明の製造方法の一例の説明図。
【符号の説明】
【００１７】
１：寝具類
２：コンベアー
３：加圧炉
４：焼き付け炉
５：検針機
【図１】
2005298996.tif 000003